(57)【要約】【課題】　大水深海域であってもより低コストで湧昇流発生効果の高い湧昇流発生人工礁の提供。【解決手段】　潮流方向と交差する向きに向けて水平に延びる衝立版を有する主衝立体１０と、主衝立体１０の潮流の上流側に所定の間隔を隔てて設置された補助衝立体６とを備え、両衝立体６，１０は底版上に衝立版を一体に立設した1又は複数のコンクリートブロックをもって構成してなる湧昇流発生人工礁において、主衝立体１０は、これを設置する水底位置に石材を積み上げた嵩上げ用マウンド１４を形成し、マウンド１４上にコンクリートブロックを載置させて設置する。【選択図】　図１
2004003375.tif 000002
【特許請求の範囲】
【請求項１】
　潮流方向と交差する向きに向けて水平に延びる衝立版を有する主衝立体と、該主衝立体の前記潮流の上流側に所定の間隔を隔てて設置された補助衝立体とを備え、前記両衝立体は底版上に衝立版を一体に立設した1又は複数のコンクリートブロックをもって構成してなる湧昇流発生人工礁において、
　前記主衝立体及び／又は補助衝立体は、これを設置する水底位置に石材を積み上げた嵩上げ用マウンドを形成し、該マウンド上に前記コンクリートブロックを載置させて設置したことを特徴としてなる湧昇流発生人工礁。
【請求項２】
　前記嵩上げ用マウンドは石材を水底より一定の高さに積み上げ、その頂面を平に形成し、該頂面上に前記コンクリートブロックを載置してなる請求項1に記載の湧昇流発生人工礁。
【請求項３】
　鉄線を直方体状又は立方体状に編み込んだ籠内に石材を詰めて水底に沈めることにより前記嵩上げ用マウンドを形成してなる請求項１に記載の湧昇流発生人工礁。
【発明の詳細な説明】
【技術分野】
【０００１】
　本発明は、海底に設置し、潮流との相互作用によって湧昇流を生じさせ発生させることにより魚類の生息環境を改善する湧昇流発生人工礁に関する。
【背景技術】
【０００２】
　従来、海底の豊富な栄養塩を上層移動拡散させて魚類の生息環境を改善するために、低層流を湧昇流とするための人工礁を海底に設置する各種の方法が開発されている。
【０００３】
　この湧昇流を発生させるための方法には、廃船やブロック等を水底に沈めて岩礁と同様の人工礁を形成する方法や、図５に示すように、水底に捨石によるマウンド１からなる人工礁を造成する方法（例えば特許文献１を参照）がある。この方法は人工礁に潮流が衝突することによって上方の流れを形成させ、これが湧昇流となるようにしたものである。
【０００４】
　この他、図６に示すように、潮流方向に直行する向きに衝立版２を立設した主衝立体３と、その上流側に、これより小さい幅の衝立版４の両端に潮流と平行配置の側版５を備えた補助衝立体６を設置し、補助衝立体６の側版５の外側を通る流れがメイン衝立体３の位置に集まり、これによって流速が高められた状態でメイン衝立体３の衝立版２に当るようにし、これによって大きな湧昇流が発生されるようにしたものがある（例えば特許文献２を参照）。
【特許文献１】特開平５−３０８７７号公報
【特許文献２】特開平５−１５２７５号公報
【発明の開示】
【発明が解決しようとする課題】
【０００５】
　一般に潮流を遮る障害物である人工礁を水底に設置し、潮流を利用して湧昇流を発生させる場合、魚類の生息環境を好転させる効果を得るには、通常水深の１／５程度の高さの人工礁が必要となることが知られている。したがって引用文献１のように捨石によりマウンド形成する工法では、例えば水深１００ｍの海域で２０ｍもの高さのマウンドを形成しなければならず、膨大な量の捨石が必要となるとともに所望の形状に捨石を積み上げることが困難でありロスが多くなり現実的ではないという問題が生じる。
【０００６】
　一方、引用文献２に示されている工法では、コンクリートブロックによって形成するものであるため、大型のブロック製造は可能であるが、大水深域に於けるブロック沈設に大型のクレーン船が必要になり、しかもクレーン船が大型になればなる程吊下げ用のブームが長大となるため作業中の揺れに対して敏感になり、平穏な海象条件下での作業が必要となり、水深が大きくなればなる程、大型クレーン船による沈設作業が可能な海象条件の日が少くなるという問題がある。
【０００７】
　本発明は上述の如き従来の問題に鑑み、大水深海域であってもより低コストで湧昇流発生効果の高い湧昇流発生人工礁の提供を目的としてなされたものである。
【課題を解決するための手段】
【０００８】
　上述の如き従来の問題を解決し、所期の目的を達成するための請求項１に記載の発明の特徴は、潮流方向と交差する向きに向けて水平に延びる衝立版を有する主衝立体と、該主衝立体の前記潮流の上流側に所定の間隔を隔てて設置された補助衝立体とを備え、前記両衝立体は底版上に衝立版を一体に立設した1又は複数のコンクリートブロックをもって構成してなる湧昇流発生人工礁において、前記主衝立体及び／又は補助衝立体は、これを設置する水底位置に石材を積み上げた嵩上げ用マウンドを形成し、該マウンド上に前記コンクリートブロックを載置させて設置したことにある。
【０００９】
　請求項２に記載の発明の特徴は、請求項１の構成に加え、前記嵩上げ用マウンドは石材を水底より一定の高さに積み上げ、その頂面を平に形成し、該頂面上に前記コンクリートブロックを載置したことにある。
【００１０】
　請求項３に記載の発明の特徴は、請求項１の構成に加え、鉄線を直方体状又は立方体状に編み込んだ籠内に石材を詰めて水底に沈めることにより前記嵩上げ用マウンドを形成したことにある。
【発明の効果】
【００１１】
　本発明に係る湧昇流発生人工礁は、水底に石材を積み上げた嵩上げ用マウンドを形成し、マウンド上にコンクリートブロックを載置させて主衝立体及び／又は補助衝立体を設置したことにより、衝立体の重量を軽減し、大型の起重機船を用いずとも衝立体の沈設作業を行うことができるようになり、時化やうねり等の海象条件の影響を受け難く、作業を容易に行うことができる。また、小規模な起重機船を使用することによって、費用の低減を図ることができる。
【００１２】
　また、嵩上げ用マウンドを、石材を水底より一定の高さに積み上げ、その頂面を平に形成し、頂面上にコンクリートブロックを載置するようにしたことにより、安定した状態で嵩上げ用マウンド上に衝立体を戴置することができる。
【００１３】
　鉄線を直方体状又は立方体状に編み込んだ籠内に石材を詰めて水底に沈めることにより嵩上げ用マウンドを形成するようにしたことにより、捨石が分散するのを防止することができるとともに、均し作業を行わずとも頂面が平らに形成されるので、危険を伴う深海域での作業員による均し作業を省け、安全に作業を行うことができ、いままで不可能であった更に深い海域におけるマウンド設置作業も可能となる。また、石材を充填させた所謂布団籠が魚礁としての役割を担い、漁場の拡大が期待できる。
【発明を実施するための最良の形態】
【００１４】
　次に本発明に係る湧昇流発生人工礁の実施形態を図面に示した実施例に基づいて説明する。尚、上述の従来例と同一の部分には同一符号を付して説明を省略する。
【００１５】
　図１は、湧昇流発生人工礁の一例を示し、図中符号６は補助衝立体、符号１０は主衝立体である。
【００１６】
　この湧昇流発生人工礁は、潮流方向と交差する向きに向けて水平に延びる衝立版を有する主衝立体１０と、主衝立体の潮流の上流側に所定の間隔を隔てて設置された補助衝立体６とを備え、補助衝立体６に衝突したその両側部に迂回して後方に至る流れが主衝立体１０の位置に集まり、これによって流速が高められた状態で衝立版に当るようにし、これによって大きな湧昇流が発生されるようにしたものである。
【００１７】
　補助衝立体６は、図６に示す従来例と同様に、平板状の底版６ａと、底版６ａの中央部に立設された衝立版４と、衝立版４の両端部に立設された側版５，５とを一体に備えたコンクリートブロックにより形成されている。
【００１８】
　この補助衝立体６は、その水平方向の長さｌ１を主衝立体１０の同方向長さｌ２より短く、その高さｈを水深の約１／５の高さに形成する。
【００１９】
　主衝立体１０は、平板状の底版１１と、底版１１の中央部に立設された衝立版１２と、衝立版１２の両端部及び中央部に衝立版と交差する方向に立設された補助壁版１３，１３…とを一体に備え、鉄筋コンクリートによりブロック状により形成されている。
【００２０】
　この主衝立体１０は、補助衝立体６の高さｈより低く形成され、嵩上げ用マウンド１４上に戴置することにより、主衝立体１０の上端部高さが補助衝立体６の上端部高さと同じ高さｈになるようになっている。
【００２１】
　嵩上げ用マウンド１４は、石材を積み上げることにより形成され、その頂面は平に形成され、主衝立体１０が安定した状態で戴置できるようになっている。
【００２２】
　この嵩上げ用マウンド１４は、鉄線等の線材を編みこんで形成された直方体状の籠、所謂布団籠１５の中に玉石又は割石等の石材１６，１６…を充填し、その内部に玉石又は割石が充填された布団籠１５，１５…を並べて設置することにより形成され、このように布団籠１５，１５…を用いて嵩上げ用マウンド１４を形成すると、均し作業を行わずとも頂面が略平らに形成され、安定した状態で主衝立体１０が戴置できるようになっている。
【００２３】
　この湧昇流発生人工礁は、嵩上げ用マウンド１４上に主衝立体１０を戴置する構成としたことで、嵩上げ用マウンド１４の高さ分だけ主衝立体１０の高さを低くすることができ、その分の主衝立体１０の重量を低減することができる。
【００２４】
　従って、主衝立体１０の沈設作業を行う起重機船の規模も小さくすることができ、時化やうねり等の海象条件の影響を受け難くなり、作業を容易に行うことができる。
【００２５】
　尚、主衝立体１０は、補助衝立体６の外側を通った流れを上方へ上昇させる役割を担うものであり、その下部にまで流れを制御する構造を必要としないため、嵩上げ用マウンド上に戴置する構造としても、嵩上げ用マウンドを使用しない場合と同様の湧昇効果が得られるようになっている。
【００２６】
　次に、湧昇流発生人工礁の構築方法について説明する。
【００２７】
　まず、設置場所とは異なる場所において、鉄線等の線材を直方体状に編み込んで形成した籠、所謂布団籠１５に玉石又は割石等の石材１６を充填したもの、主衝立体１０及び補助衝立体６をそれぞれ作成しておく。
【００２８】
　次に、石材１６を充填した布団籠１５を起重機船２０の台船２０ａに積み込み設置場所に移動する。
【００２９】
　そして、図２に示すように、この石材１６を充填した布団籠１５を起重機船２０のクレーン２１を用いて順次沈設し、所要数の布団籠１５，１５…を水平方向に並べるとともに複数段に積み上げて嵩上げ用マウンド１４を構築する。
【００３０】
　この嵩上げ用マウンド１４を構築するには、まず、布団籠１５に設けられた玉掛用金具２２にクレーンワイヤー２３の先端に取り付けられたフック２４を取り付け、布団籠１５をクレーン２１により吊り下げ保持し、クレーンのブーム２１ａを設置位置に合わせて旋回させ、その位置でクレーンワイヤー２３を繰り出し、ＧＰＳにより、布団籠１５の位置、向き、深さ等を検知し、位置、向き、深さ等について生じた誤差を補正しながら沈降させる。
【００３１】
　そして、布団籠１５を所定の個所に沈設したら、クレーンワイヤーのフック２４を玉掛用金具２２より取り外す。
【００３２】
　このとき、フック２４を玉掛用金具２２より遠隔操作によって取り外し可能とする装置を備えることが好ましく、このような装置を備えていれば、潜水夫による取り外し作業を省くことができ安全に作業を行うことができる。
【００３３】
　この作業を繰り返し、布団籠１５による嵩上げ用マウンド１４が構築される。尚、この嵩上げ用マウンド１４は、各々が略同形の直方体状に形成された布団籠１５で形成されているため、頂面が略平らに形成されている。
【００３４】
　次に、主衝立体１０を起重機船の台船２０ａに積み込み、設置場所まで移動し、図３に示すように、主衝立体１０の沈設作業を行う。
【００３５】
　この主衝立体１０の沈設は、まず、主衝立体１０に設けられた玉掛用金具２２にクレーンワイヤー２３の先端に取り付けられたフック２４を取り付け、主衝立体１０をクレーン２１により吊り下げ保持する。
【００３６】
　次に、クレーンのブーム２１ａを主衝立体１０の設置位置に合わせて旋回させ、その位置でクレーンワイヤー２３を繰り出し、ＧＰＳにより、主衝立体１０の位置、向き、深さ等を検知し、それらについて生じた誤差を補正しながら沈降させ、嵩上げ用マウンド１４上に戴置する。
【００３７】
　そして、主衝立体１０を嵩上げ用マウンド１４上に沈設したら、クレーンワイヤー２３のフック２４を玉掛用金具２２より取り外し、主衝立体１０の沈設作業が完了する。
【００３８】
　次に、補助衝立体６を起重機船の台船２０ａに積み込み、設置場所、即ち主衝立体１０より所定の間隔を隔てた位置に移動する。
【００３９】
　そして、図４に示すように、補助衝立体６をクレーン２１により吊り下げ保持し、クレーンのブーム２１ａを主衝立体１０の設置位置に合わせて旋回させ、その位置でクレーンワイヤー２３を繰り出し、ＧＰＳにより、補助衝立体６の位置、向き、深さ等を検知し、それらについて生じた誤差を補正しながら沈降させ、水底まで沈降させる。
【００４０】
　そして、補助衝立体６を水底に沈設したら、クレーンワイヤーのフック２４を玉掛用金具２２より取り外することにより補助衝立体６の沈設作業が完了し、湧昇流発生人工礁が構築される。
【００４１】
　尚、上述の実施例では、主衝立体１０及び補助衝立体６を一のコンクリートブロックにより構成した例について説明したが、それぞれ複数のコンクリートブロックの組合せにより構成するようにしてもよい。
【００４２】
　また、上述の実施例では、嵩上げ用マウンドを所謂布団籠を用いて構築する例について説明したが、捨石を積み上げて押し固め、その頂面を均し作業を行って平らに形成するようにしてもよい。
【００４３】
　尚、補助衝立体は、主衝立体と同様に、嵩上げ用マウンド上にコンクリートブロックを載置させて設置するようにしてもよい。この場合、補助衝立体の高さは、嵩上げ用マウンドの高さ分だけ低くなり、補助衝立体を構成するコンクリートブロックの重量を低減することができ、沈設作業等の作業効率が向上する。
【００４４】
　また、主衝立体と補助衝立体との両方を嵩上げ用マウンド上に設置する構成にしてもよく、主衝立体と補助衝立体のどちらか一方のみを嵩上げ用マウンド上に戴置する構成としてもよい。
【図面の簡単な説明】
【００４５】
【図１】本発明に係る湧昇流発生人工礁の実施の一例を示す斜視図である。
【図２】嵩上げ用マウンド構築工程の状態を示す側面図である。
【図３】同上の主衝立体の設置工程を示す側面図である。
【図４】同上の補助衝立体の設置工程を示す側面図である。
【図５】従来の湧昇流発生人工礁の一例を示す断面図である。
【図６】同上の湧昇流発生人工礁の他の一例を示す斜視図である。
【符号の説明】
【００４６】
　１０　主衝立体
　１１　底版
　１２　衝立版
　１３　補助壁版
　１４　嵩上げ用マウンド
　１５　布団籠
　１６　石材
　２０　起重機船
　２０ａ　台船
　２１　クレーン
　２１ａ　ブーム
　２２　玉掛用金具
　２３　クレーンワイヤー
　２４　フック
【図１】
2004003375.tif 000003
【図２】
2004003375.tif 000004
【図３】
2004003375.tif 000005
【図４】
2004003375.tif 000006
【図５】
2004003375.tif 000007
【図６】
2004003375.tif 000008